(57)【要約】【課題】光学素子を効果的に冷却できるプロジェクタを提供する。【解決手段】プロジェクタは、光学素子３５１に空気を送風する冷却ファンと、空気を光学素子３５１の配設位置に導く補助ダクト７１１および送風ダクト本体７１２と、補助ダクト７１１内部に面し補助ダクト７１１内部の空気の熱を受熱する受熱側伝熱部材７１４１と、補助ダクト７１１外部に面し受熱側伝熱部材７１４１と熱伝達可能に接続して受熱側伝熱部材７１４１の熱を補助ダクト７１１外部に放熱する放熱側伝熱部材７１４５と、受熱側伝熱部材７１４１および放熱側伝熱部材７１４５の間に介装される熱電変換素子と、光学素子３５１および受熱側伝熱部材７１４１に熱伝達可能に接続するヒートパイプ８１，８３とを備える。【選択図】図８
2009251370.tif 000002
【特許請求の範囲】
【請求項１】
光学素子に空気を送風する冷却ファンと、空気を前記光学素子の配設位置に導く送風ダクトとを備えたプロジェクタであって、
前記送風ダクト内部に面し前記送風ダクト内部の空気の熱を受熱する受熱側伝熱部材と、
前記送風ダクト外部に面し前記受熱側伝熱部材と熱伝達可能に接続して前記受熱側伝熱部材の熱を前記送風ダクト外部に放熱する放熱側伝熱部材と、
前記受熱側伝熱部材および前記放熱側伝熱部材の間に介装され、吸熱面が前記受熱側伝熱部材に熱伝達可能に接続し、放熱面が前記放熱側伝熱部材に熱伝達可能に接続する熱電変換素子と、
内部に毛細管構造を有する管状に形成されるとともに管内部には冷媒が収容され前記冷媒が管内部を還流することにより熱移動が行われるヒートパイプとを備え、
前記ヒートパイプは、前記光学素子および前記受熱側伝熱部材に熱伝達可能に接続する
ことを特徴とするプロジェクタ。
【請求項２】
請求項１に記載のプロジェクタにおいて、
吸気口を有する外装筐体と、
前記吸気口を介して前記外装筐体外部の空気を内部に導入する吸気ファンと、
前記外装筐体内部に導入された空気を所定位置に導く吸気ダクトとを備え、
前記放熱側伝熱部材は、前記吸気ダクト内部に配設され、
前記吸気ダクトは、前記送風ダクトに連通し、前記外装筐体内部に導入された空気を分流して、前記放熱側伝熱部材および前記送風ダクトの双方に導く
ことを特徴とするプロジェクタ。
【請求項３】
請求項１または請求項２に記載のプロジェクタにおいて、
熱伝導性材料から構成される中継用受熱ブロックを備え、
前記ヒートパイプは、前記光学素子に熱伝達可能に接続するとともに前記光学素子との接続部位から離間した部位が前記中継用受熱ブロックに熱伝達可能に接続する第１ヒートパイプと、前記中継用受熱ブロックに熱伝達可能に接続するとともに前記中継用受熱ブロックとの接続部位から離間した部位が前記受熱側伝熱部材に熱伝達可能に接続する第２ヒートパイプとで構成されている
ことを特徴とするプロジェクタ。
【請求項４】
請求項１から請求項３のいずれかに記載のプロジェクタにおいて、
入射光束を画像情報に応じて変調する複数の光変調装置と、
前記複数の光変調装置にそれぞれ対向する複数の光束入射側端面を有し、前記複数の光変調装置を介した光束を合成して射出する色合成光学装置と、
前記光変調装置および前記光束入射側端面の間に介装され、前記光変調装置に熱伝達可能な状態で前記光変調装置を支持し、前記光変調装置を前記光束入射側端面に取り付ける複数の支持部材とを備え、
前記光学素子は、前記複数の光変調装置のうち少なくともいずれかの光変調装置で構成され、
前記ヒートパイプは、前記光学素子を支持する前記支持部材に熱伝達可能に接続する
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている（例えば、特許文献１参照）。
特許文献１に記載のプロジェクタでは、投影画像の画質を安定に確保し、光変調装置等の光学素子を効率的に冷却するために、以下の構造が採用されている。
すなわち、光学素子を密閉構造内部に配置する。そして、ペルチェ素子等の熱電変換素子を有する冷却装置により密閉構造内部の空気の熱を密閉構造外部に放熱する。また、冷却装置を介して冷却された空気を循環ファンにより吸入して光学素子に送風する。
【０００３】
【特許文献１】特開２００７−３３４０４３号公報
【発明の開示】
【発明が解決しようとする課題】
【０００４】
しかしながら、特許文献１に記載の構造では、循環ファン自体も駆動時に発熱するため、空気の吸入および吐出時に循環ファン自体の熱が空気に伝達され、循環ファンにより温度上昇した空気が光学素子に送風されることとなる。このため、冷却装置により空気を冷却しても、光学素子を効果的に冷却することが難しい。
【０００５】
本発明の目的は、光学素子を効果的に冷却できるプロジェクタを提供することにある。
【課題を解決するための手段】
【０００６】
本発明のプロジェクタは、光学素子に空気を送風する冷却ファンと、空気を前記光学素子の配設位置に導く送風ダクトとを備えたプロジェクタであって、前記送風ダクト内部に面し前記送風ダクト内部の空気の熱を受熱する受熱側伝熱部材と、前記送風ダクト外部に面し前記受熱側伝熱部材と熱伝達可能に接続して前記受熱側伝熱部材の熱を前記送風ダクト外部に放熱する放熱側伝熱部材と、前記受熱側伝熱部材および前記放熱側伝熱部材の間に介装され、吸熱面が前記受熱側伝熱部材に熱伝達可能に接続し、放熱面が前記放熱側伝熱部材に熱伝達可能に接続する熱電変換素子と、内部に毛細管構造を有する管状に形成されるとともに管内部には冷媒が収容され前記冷媒が管内部を還流することにより熱移動が行われるヒートパイプとを備え、前記ヒートパイプは、前記光学素子および前記受熱側伝熱部材に熱伝達可能に接続することを特徴とする。
【０００７】
本発明では、プロジェクタは、受熱側伝熱部材、放熱側伝熱部材、および熱電変換素子を有する冷却構造（以下、熱交換器）を備える。このことにより、送風ダクト内部の空気の熱は、熱交換器により送風ダクト外部に放熱されることとなる。このため、送風ダクトを介して光学素子に送風される空気の温度を低減させることができる。
また、プロジェクタは、ヒートパイプを備える。このことにより、光学素子に生じた熱は、ヒートパイプを介して熱交換器に移動し、送風ダクト内部の空気の熱とともに、送風ダクト外部に放熱されることとなる。
したがって、冷却ファン自体の熱により光学素子に送風される空気の温度が上昇した場合であっても、熱交換器を用いた冷却構造に加えて、ヒートパイプを用いた伝導冷却構造を採用することで、光学素子を効果的に冷却できる。このため、光学素子の熱劣化を回避し、プロジェクタの長寿命化が図れる。
【０００８】
本発明のプロジェクタでは、吸気口を有する外装筐体と、前記吸気口を介して前記外装筐体外部の空気を内部に導入する吸気ファンと、前記外装筐体内部に導入された空気を所定位置に導く吸気ダクトとを備え、前記放熱側伝熱部材は、前記吸気ダクト内部に配設され、前記吸気ダクトは、前記送風ダクトに連通し、前記外装筐体内部に導入された空気を分流して、前記放熱側伝熱部材および前記送風ダクトの双方に導くことが好ましい。
【０００９】
本発明では、吸気口を介して外装筐体内部に導入された空気を所定位置に導く吸気ダクトは、送風ダクトに連通し、外装筐体内部に導入された空気の一部を送風ダクトに導く。このことにより、従来のような密閉構造内部において空気を循環させる構造と比較して、ダクトの数を削減できるとともに、ダクト間の接続構造も簡易なものとすることができ、構造を簡素化できる。
また、吸気ダクトは、外装筐体内部に導入された空気を内部に配設された放熱側伝熱部材にも導く。このことにより、吸気ダクト内部を流通する空気により放熱側伝熱部材が冷却されるため、熱電変換素子の消費電力に対する冷却対象（受熱側伝熱部材）から吸熱する吸熱量の比率（吸熱比率）を向上させることができる。したがって、上述したように簡素な構造を採用しつつ、熱電変換素子により受熱側伝熱部材を介して送風ダクト内部の空気の温度をより一層低減させることができるとともに、熱電変換素子により受熱側伝熱部材およびヒートパイプを介して光学素子の温度をより一層低減させることができ、光学素子をより一層効果的に冷却できる。
【００１０】
本発明のプロジェクタでは、熱伝導性材料から構成される中継用受熱ブロックを備え、前記ヒートパイプは、前記光学素子に熱伝達可能に接続するとともに前記光学素子との接続部位から離間した部位が前記中継用受熱ブロックに熱伝達可能に接続する第１ヒートパイプと、前記中継用受熱ブロックに熱伝達可能に接続するとともに前記中継用受熱ブロックとの接続部位から離間した部位が前記受熱側伝熱部材に熱伝達可能に接続する第２ヒートパイプとで構成されていることが好ましい。
【００１１】
ところで、冷却対象である光学素子が複数、存在し、複数の光学素子に応じて複数のヒートパイプを設ける場合や、冷却対象である光学素子の発熱量に応じて単体の光学素子に対して複数のヒートパイプを設ける場合等には、光学素子から受熱側伝熱部材までの各ヒートパイプの引き回しが困難なものとなり、各ヒートパイプを用いた構造が煩雑化してしまう。
本発明では、プロジェクタは、中継用受熱ブロックを備える。このことにより、第１ヒートパイプにて光学素子と中継用受熱ブロックとを熱伝達可能に接続し、第２ヒートパイプにて中継用受熱ブロックと受熱側伝熱部材とを熱伝達可能に接続することで、光学素子から受熱側伝熱部材までの熱伝達経路を確保できる。このため、光学素子から受熱側伝熱部材までの各ヒートパイプの引き回しを容易に実施でき、各ヒートパイプを用いた構造をコンパクトに纏めることができる。
【００１２】
本発明のプロジェクタでは、入射光束を画像情報に応じて変調する複数の光変調装置と、前記複数の光変調装置にそれぞれ対向する複数の光束入射側端面を有し、前記複数の光変調装置を介した光束を合成して射出する色合成光学装置と、前記光変調装置および前記光束入射側端面の間に介装され、前記光変調装置に熱伝達可能な状態で前記光変調装置を支持し、前記光変調装置を前記光束入射側端面に取り付ける複数の支持部材とを備え、前記光学素子は、前記複数の光変調装置のうち少なくともいずれかの光変調装置で構成され、前記ヒートパイプは、前記光学素子を支持する前記支持部材に熱伝達可能に接続することが好ましい。
【００１３】
本発明では、光学素子は、複数の光変調装置のうち少なくともいずれかの光変調装置で構成される。そして、ヒートパイプは、光学素子を支持する支持部材に熱伝達可能に接続する。すなわち、ヒートパイプは、光変調装置に直接、接続することなく、支持部材を介して光変調装置に熱伝達可能に接続する。このことにより、ヒートパイプを取り付ける際に光変調装置に力が加わることがなく、さらには、ヒートパイプを取り付けた後でのヒートパイプの熱応力が光変調装置に加わることがなく、各光変調装置の相互位置のずれを防止でき、画素ずれを回避できる。このため、プロジェクタは、鮮明な投影画像を表示させることができる。
【発明を実施するための最良の形態】
【００１４】
[第１実施形態]
以下、本発明の第１実施形態を図面に基づいて説明する。
〔外観構成〕
図１は、第１実施形態におけるプロジェクタ１の外観を示す斜視図である。具体的に、図１は、プロジェクタ１を前面上方側から見た斜視図である。
なお、以下では、説明の便宜上、前面（画像光の投射側）から見て左を「左」とし、前面から見て右を「右」として記載する。
プロジェクタ１は、光源から射出された光束を画像情報に応じて変調して画像光を形成し、形成した画像光をスクリーン（図示略）上に拡大投射するものである。このプロジェクタ１は、外装を構成する外装筐体２を備える。
【００１５】
外装筐体２は、プロジェクタ１の装置本体を収納する。この外装筐体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
この外装筐体２において、右側面部には、図１に示すように、外部の空気を内部に導入するための吸気口２３が形成されている。
また、外装筐体２において、前面部分の左側には、内部の空気を外部に排出するための排気口２４（図２参照）が形成されている。
【００１６】
〔内部構成〕
図２は、プロジェクタ１の内部構成を示す斜視図である。具体的に、図２は、プロジェクタ１からアッパーケース２１を取り外した状態を示す斜視図である。
外装筐体２の内部には、図２に示すように、プロジェクタ１の装置本体が収容されている。そして、この装置本体は、光学ユニット３と、電源ユニット４と、制御基板５と、筐体内部冷却装置６と、空冷装置７（図７参照）と、熱輸送装置８（図７参照）とを備える。
【００１７】
〔光学ユニットの構成〕
図３ないし図５は、光学ユニット３の構成を示す図である。具体的に、図３は、光学ユニット３を背面上方側から見た斜視図である。図４は、光学ユニット３を前面下方側から見た斜視図である。図５は、光学ユニット３の光学系を模式的に示す平面図である。
光学ユニット３は、制御基板５による制御の下、画像情報に応じて画像光を形成するものであり、外装筐体２の前面側から背面側に向けて延出し、延出方向先端部分が右側に屈曲して延出し、さらに、前面側に屈曲して延出する平面視略Ｕ字形状を有している。
【００１８】
この光学ユニット３は、図５に示すように、光源ランプ３１１およびリフレクタ３１２を有する光源装置３１と、レンズアレイ３２１，３２２、偏光変換素子３２３、反射ミラー３２４、および重畳レンズ３２５を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、液晶パネル３５１１を有する光学素子としての３つの光変調装置３５１（赤色光側の光変調装置を３５１Ｒ、緑色光側の光変調装置を３５１Ｇ、青色光側の光変調装置を３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投射光学装置としての投射レンズ３７とを備える。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１１にて画像情報に応じてそれぞれ変調され、色光毎の画像光が形成される。色光毎の画像光は、クロスダイクロイックプリズム３５４にて合成され、投射レンズ３７にてスクリーン（図示略）に拡大投射される。
なお、上述した各光学部品３１〜３４，３７については、種々の一般的なプロジェクタの光学系として利用されているため、具体的な説明を省略する。
以下では、３つの光変調装置３５１、３つの射出側偏光板３５３、およびクロスダイクロイックプリズム３５４が一体化された光学装置本体３５Ａ、および光学部品用筐体３６の構成を説明する。
【００１９】
〔光学装置本体の構成〕
図６は、光学装置本体３５Ａの構成を示す分解斜視図である。
なお、図６では、光学装置本体３５Ａにおいて、Ｇ色光側のみを分解しているが、Ｒ，Ｂ色光側もＧ色光側と同様の構造を有しているものである。
光学装置本体３５Ａは、図６に示すように、各光変調装置３５１、各射出側偏光板３５３、およびクロスダイクロイックプリズム３５４の他、３つの支持部材３５５（Ｒ色光側の支持部材を３５５Ｒ、Ｇ色光側の支持部材を３５５Ｇ、Ｂ色光側の支持部材を３５５Ｂとする）と、支持構造体３５６とを備え、これら各部材３５１，３５３〜３５６が一体化されたものである。
ここで、射出側偏光板３５３は、図６に示すように、透光性基板３５３Ａ上に偏光膜３５３Ｂが貼付された構成を有し、偏光膜３５３Ｂが光束入射側に向いた状態でクロスダイクロイックプリズム３５４の光束入射側端面３５４Ａに接着剤等により固定される。
【００２０】
また、光変調装置３５１は、図６に示すように、液晶パネル３５１１を収納保持するパネル保持枠３５１２を備える。
パネル保持枠３５１２は、平面視矩形形状を有し、略中央部分に液晶パネル３５１１の画像形成領域に応じた開口部３５１２Ａを有している。
また、パネル保持枠３５１２において、光束射出側には、具体的な図示は省略したが、開口部３５１２Ａの周縁部分に、液晶パネル３５１１における外形形状（段付状）に対応し液晶パネル３５１１を収納保持する凹部が形成され、該凹部にて液晶パネル３５１１と熱伝達可能に接続する。
さらに、パネル保持枠３５１２において、四隅角部分には、光変調装置３５１を支持部材３５５に固定するための固定用孔３５１２Ｂがそれぞれ形成されている。
【００２１】
支持部材３５５は、光変調装置３５１およびクロスダイクロイックプリズム３５４の間に配設され、光変調装置３５１を支持し、クロスダイクロイックプリズム３５４の光束入射側端面３５４Ａに対して固定する部材である。この支持部材３５５は、金属等の熱伝導性材料から構成され、図６に示すように、第１支持部３５５１と、第２支持部３５５２とを備える。
第１支持部３５５１は、略中央部分に矩形状の開口部３５５３Ａを有する平面視略矩形状の板状部３５５３と、板状部３５５３の左右両端縁から光束入射側に向けて突出する突出部３５５４とで構成される。
そして、第１支持部３５５１は、クロスダイクロイックプリズム３５４の光束入射側端面３５４Ａに固定された射出側偏光板３５３に対して、偏光膜３５３Ｂが開口部３５５３Ａに挿通した状態で板状部３５５３が透光性基板３５３Ａに接着剤等により固定される。
【００２２】
第２支持部３５５２は、下方側端縁から上方側に向けて切り欠かれたＵ字形状の切り欠き３５５５Ａを有する平面視略矩形状の板状部３５５５と、板状部３５５５の左右両端縁から光束射出側に向けて突出する突出部３５５６とで構成される。
そして、第２支持部３５５２は、第１支持部３５５１における各突出部３５５４の内面に対して各突出部３５５６の外面が当接した状態で、接着剤等により固定される。この状態は、第１支持部３５５１および第２支持部３５５２は、熱伝達可能に接続する。
また、板状部３５５５において、四隅角部分には、光変調装置３５１を固定するための固定用孔３５５５Ｂがそれぞれ形成されている。そして、各固定用孔３５１２Ｂ，３５５５Ｂを介して、第２支持部３５５２およびパネル保持枠３５１２をねじ４５７にて接続することで、光変調装置３５１が支持部材３５５に固定される。この状態では、液晶パネル３５１１〜パネル保持枠３５１２〜第２支持部３５５２〜第１支持部３５５１の熱伝達経路が形成される。
【００２３】
支持構造体３５６は、図６に示すように、略直方体形状を有し、上面の所定位置にクロスダイクロイックプリズム３５４を載置し、光学装置本体３５Ａ全体を支持する部材である。
この支持構造体３５６には、四隅角部分から外側に向けて延出し、光学部品用筐体３６に接続する腕部３５６１が形成されている。そして、腕部３５６１を光学部品用筐体３６に接続することで、光学装置本体３５Ａ全体が光学部品用筐体３６に固定される。
【００２４】
〔光学部品用筐体の構成〕
光学部品用筐体３６は、図３または図４に示すように、平面視略Ｕ字形状を有し、内部に所定の照明光軸Ａ（図５）が設定され、上述した各光学部品３１〜３５を照明光軸Ａに対する所定位置に配置する。この光学部品用筐体３６は、部品収納部材３６１と、蓋状部材３６２とを備える。
【００２５】
部品収納部材３６１は、光源装置収納部３６１１と、部品収納部本体３６１２とで構成される。
光源装置収納部３６１１は、光学部品用筐体３６のＵ字形状一端側に位置し、下方側に開口部３６１１Ａ（図４）を有する容器状に形成されている。そして、光源装置収納部３６１１には、開口部３６１１Ａを介して、光源装置３１が収納される。
【００２６】
部品収納部本体３６１２は、上方側に開口部（図示略）を有する容器状に形成されている。そして、部品収納部本体３６１２には、前記開口部を介して、光源装置収納部３６１１と接続する一端側から順に、各光学部品３２〜３４が収納され、前記一端側とは反対側の他端側に光学装置３５が収納される。また、部品収納部本体３６１２には、光学装置３５に対向する側面に投射レンズ３７が取り付けられる。
この部品収納部本体３６１２において、下方側端面には、各光変調装置３５１Ｒ，３５１Ｇ，３５１Ｂの配置位置に対応した位置にそれぞれ開口部３６１２Ｒ，３６１２Ｇ，３６１２Ｂ（図４）が形成されている。
また、部品収納部本体３６１２において、下方側端面には、偏光変換素子３２３の配置位置に対応した位置に開口部３６１２Ｐ（図４）が形成されている。
これら各開口部３６１２Ｒ，３６１２Ｇ，３６１２Ｂ，３６１２Ｐは、光学部品用筐体３６内部における光学装置３５の配置位置の空間Ａｒ１（図３、図５）、および偏光変換素子３２３の配置位置の空間Ａｒ２（図３、図５）に空気を流入させる流入口として機能する。
【００２７】
蓋状部材３６２は、部品収納部本体３６１２の上方側の開口部分を閉塞する部材であり、部品収納部本体３６１２の平面形状と略同一の平面形状を有する。
この蓋状部材３６２には、光学装置３５の配置位置に対応して、光学装置３５を平面的に囲うようにＵ字状の切り欠き３６２１（図３）が形成されている。
また、蓋状部材３６２には、偏光変換素子３２３の配置位置に対応して開口部３６２２（図３）が形成されている。
これら切り欠き３６２１および開口部３６２２は、上述した各開口部３６１２Ｒ，３６１２Ｇ，３６１２Ｂ，３６１２Ｐを介して光学部品用筐体３６内部における空間Ａｒ１，Ａｒ２に流入された空気を光学部品用筐体３６外部に排出するための流出口として機能する。
【００２８】
〔電源ユニットの構成〕
電源ユニット４は、プロジェクタ１の装置本体を構成する各構成部材に電力を供給する。この電源ユニット４は、図２に示すように、外装筐体２における左側の側面に沿って、背面側から前面側にかけて延びるように配置されている。そして、電源ユニット４は、前面側および背面側が開口されたアルミニウム等の金属製のシールド部材４１によって周囲が覆われている。
【００２９】
〔制御基板の構成〕
制御基板５は、図２に示すように、ＣＰＵ（Central Processing Unit）等の回路素子が実装された回路基板として構成され、熱輸送装置８を介して光学ユニット３の上方側に配置される。そして、制御基板５は、プロジェクタ１を構成する各構成部材の動作を制御する。
【００３０】
〔筐体内部冷却装置の構成〕
図７は、筐体内部冷却装置６の構成を説明するための図である。具体的に、図７は、図１の状態から、アッパーケース２１と、制御基板５と、光学ユニット３における光学装置本体３５Ａおよび投射レンズ３７を除く各部材を省略した図である。
筐体内部冷却装置６は、外装筐体２内部において、光学部品用筐体３６外部に配置される各構成部材（制御基板５、光源装置３１、電源ユニット４、空冷装置７の一部等）を冷却する。この筐体内部冷却装置６は、図７に示すように、吸気ユニット６１と、中継ダクト６２と、電源冷却用ファン６３と、排気ユニット６４とを備える。
【００３１】
吸気ユニット６１は、外装筐体２内部における右背面側の角隅部分に配設され、吸気口２３を介して、外装筐体２外部の空気を内部に導入する。この吸気ユニット６１は、図７に示すように、吸気口２３を介して空気を導入する導入ダクト６１１と、導入ダクト６１１を介して導入して空気を背面側に吐出する吸気ファン６１２とを備える。
【００３２】
中継ダクト６２は、一端が吸気ファン６１２の吐出口に接続し、外装筐体２の背面に沿って電源ユニット４の背面側まで延出する略直方体形状を有する。そして、中継ダクト６２は、吸気ファン６１２から吐出された空気を、流路Ｃ１を辿って、外装筐体２における右側面側から左側面側に向けて流通させる。
この中継ダクト６２において、前面側の端面には、空冷装置７の一部を内部に配設するための第１配設用開口部６２１（図８参照）および第２配設用開口部（図示略）が左右方向に並列するように形成されている。
第１配設用開口部６２１は、中継ダクト６２における前面側の端面から上方側の端面にかけて形成され、空冷装置７の一部にて前面側が閉塞され、蓋体６２１１（図７）にて上方側が閉塞される。
この際、空冷装置７の一部の上方側と蓋体６２１１との間には、隙間が形成される。このため、中継ダクト６２において、流路Ｃ１を辿って流通する空気の一部は、分流されて前記隙間を介し流路Ｃ２を辿って空冷装置７の一部に向けて流出する。
なお、導入ダクト６１１および中継ダクト６２が本発明に係る吸気ダクトに相当する。
【００３３】
電源冷却用ファン６３は、電源ユニット４の背面側に配設され、中継ダクト６２の他端に接続する。そして、電源冷却用ファン６３は、中継ダクト６２を介して吸入した空気を電源ユニット４に向けて吐出する。電源冷却用ファン６３から吐出された空気は、シールド部材４１の背面側の開口部分からシールド部材４１内部に導入され、シールド部材４１内外を連通する流路Ｃ３を辿って流通し、電源ユニット４を構成する回路素子が冷却される。
【００３４】
排気ユニット６４は、外装筐体２内部における左前面側の角隅部分に配設され、排気口２４を介して、外装筐体２内部の空気を外部に排出する。この排気ユニット６４は、図７に示すように、内部の空気（流路Ｃ１，Ｃ３を辿った空気、光源装置３１近傍の空気、空冷装置７により光学装置３５を冷却した後の空気等）を吸入して吐出する排気ファン６４１と、排気口２４を介して排気ファン６４１から吐出された空気を外装筐体２外部に排出する排気ダクト６４２とを備える。
【００３５】
〔空冷装置の構成〕
図８および図９は、空冷装置７の構成を説明するための図である。具体的に、図８は、図７の状態から、ロアーケース２２と、電源ユニット４と、投射レンズ３７等を省略した図である。図９は、各ダクト７１２，７２２を背面上方側から見た斜視図である。
空冷装置７は、図８または図９に示すように、第１の空冷装置７１と、第２の空冷装置７２とを備える。
〔第２の空冷装置の構成〕
第２の空冷装置７２は、光学部品用筐体３６とともに密閉構造を構成し、該密閉構造内部の空気を循環させて、光学部品用筐体３６における空間Ａｒ２に配置される偏光変換素子３２３を冷却する。この第２の空冷装置７２は、図８または図９に示すように、Ｌ字ダクト７２１（図８）と、水平ダクト７２２と、循環ファン７２３（図９）と、放熱装置７２４（図８）とを備える。
【００３６】
Ｌ字ダクト７２１は、光学部品用筐体３６における偏光変換素子３２３の配設位置近傍の外面形状に対応し、空間Ａｒ２の上方側から蓋状部材３６２の上方側端面に沿って背面側に延出するとともに、光学部品用筐体３６の背面に沿って下方側に延出するＬ字状に形成されている。
そして、Ｌ字ダクト７２１は、光学部品用筐体３６における開口部３６２２を介して空間Ａｒ２から外部に流出した空気を、図８に示すように、流路Ｃ４１に沿って、背面側に流通させるとともに下方側に向けて流通させ、水平ダクト７２２に導く。
【００３７】
水平ダクト７２２は、光学部品用筐体３６の下方側に配設され、Ｌ字ダクト７２１における下方側端部に接続するとともに、光学部品用筐体３６における偏光変換素子３２３の配設位置まで延出する。
この水平ダクト７２２において、上方側端面の前面側には、光学部品用筐体３６の開口部３６１２Ｐに対応して、上方側に向けて突出し、内部の空気を流出させる流出部７２２Ｐが形成されている。
そして、水平ダクト７２２は、図９に示すように、Ｌ字ダクト７２１内部の流路Ｃ４１を辿って流通した空気を、流路Ｃ４２に沿って、前面側に流通させるとともに流出部７２２Ｐから上方側に向けて流出し、開口部３６１２Ｐを介して空間Ａｒ２に導入させる。
【００３８】
循環ファン７２３は、シロッコファンで構成され、吸入口７２３１が上方側に向き、吐出口（図示略）が前面側に向くように、水平ダクト７２２内部に収納される。そして、循環ファン７２３は、流路Ｃ４１，Ｃ４２および空間Ａｒ２に沿って空気を循環させる。
すなわち、流路Ｃ４１，Ｃ４２および空間Ａｒ２に沿って空気が循環することで、循環する空気により空間Ａｒ２内の偏光変換素子３２３が冷却される。
【００３９】
放熱装置７２４は、前記密閉構造内部の流路Ｃ４１を辿る空気の熱を受熱し、前記密閉構造外部に放熱する装置である。この放熱装置７２４は、図８に示すように、２つのヒートパイプ７２４１と、放熱部材（図示略）とを備える。
２つのヒートパイプ７２４１は、後述する各ヒートパイプ８１，８３と同様の機能を有し、Ｌ字形状となるように屈曲形成されている。そして、ヒートパイプ７２４１は、一方の端部がＬ字ダクト７２１内部に配置される。
ここで、具体的な図示は省略したが、Ｌ字ダクト７２１内部には、金属等の熱伝導性材料から構成される複数のフィン部材を有し、流路Ｃ４１を辿る空気の熱を受熱する受熱部材が設けられている。
そして、２つのヒートパイプ７２４１は、一方の端部が前記受熱部材に熱伝達可能に接続し、他方の端部が前記放熱部材に熱伝達可能に接続する。すなわち、２つのヒートパイプ７２４１は、流路Ｃ４１を辿る空気から前記受熱部材に伝達された熱を前記密閉構造内部から外部へと導き、前記放熱部材に伝達させる。
【００４０】
前記放熱部材は、複数のフィン部材を有する、いわゆるヒートシンクで構成され、外装筐体２の背面側に配設される。
そして、前記放熱部材は、プロジェクタ１を組み立てた状態で、中継ダクト６２の前記第２配設用開口部を介して中継ダクト６２内部に配設される。このため、前記受熱部材〜２つのヒートパイプ７２４１〜前記放熱部材の熱伝達経路を辿った熱は、中継ダクト６２内部の流路Ｃ１を辿って流通する空気により冷却される。
【００４１】
〔第１の空冷装置の構成〕
第１の空冷装置７１は、中継ダクト６２から流路Ｃ２を辿って流出した空気を、光学部品用筐体３６における空間Ａｒ１に配置される光学装置３５に送風する。この第１の空冷装置７１は、図８または図９に示すように、補助ダクト７１１（図８）と、送風ダクト本体７１２と、冷却ファン７１３（図９）と、熱交換器７１４（図８）とを備える。
なお、補助ダクト７１１および送風ダクト本体７１２が本発明に係る送風ダクトに相当する。
【００４２】
補助ダクト７１１は、上下方向に延出する断面略Ｕ字形状を有し、光学部品用筐体３６の背面側において、断面Ｕ字状の開口部分が背面側に向くように配設される。この補助ダクト７１１は、断面Ｕ字状の開口部分に熱交換器７１４が設置され、熱交換器７１４により前記開口部分が閉塞されることで、上方側から下方側に空気を流通可能とする流路Ｃ５（図８）が形成される。また、補助ダクト７１１は、上方側端部が上述した蓋体６２１１（図７）と接続することで、蓋体６２１１との間で流路Ｃ２を形成する。
そして、補助ダクト７１１は、中継ダクト６２から流路Ｃ２を辿って流出した空気を、流路Ｃ５に沿って、下方側に流通させて送風ダクト本体７１２に導く。
【００４３】
送風ダクト本体７１２は、光学部品用筐体３６の下方側に配設され、補助ダクト７１１における下方側端部に接続するとともに、光学部品用筐体３６における光学装置３５の配設位置まで延出する。
この送風ダクト本体７１２において、上方側端面の前面側には、光学部品用筐体３６の各開口部３６１２Ｒ，３６１２Ｇ，３６１２Ｂに対応して、上方側に向けて突出し、内部の空気を上方側に流出させる流出部７１２Ｒ，７１２Ｇ，７１２Ｂが形成されている。
【００４４】
冷却ファン７１３は、Ｂ用シロッコファン７１３１およびＲＧ用シロッコファン７１３２の２つで構成され、吸入口７１３１Ａ，７１３２Ａが上方側に向き、吐出口（図示略）が前面側に向いた状態で、左右方向に並列するように、送風ダクト本体７１２内部に収納される。
そして、Ｂ用シロッコファン７１３１は、補助ダクト７１１内部の流路Ｃ５を辿って流通した空気を吸入して前面側に吐出する。前面側に吐出された空気は、送風ダクト本体７１２内部において、図示しない整流板により整流され、図９に示すように、流路Ｃ６Ｂに沿って、前面側に流通するとともに流出部７１２Ｂから上方側に向けて流出し、開口部３６１２Ｂを介して空間Ａｒ１に導入される。
また、ＲＧ用シロッコファン７１３２は、補助ダクト７１１内部の流路Ｃ５を辿って流通した空気を吸入して前面側に吐出する。前面側に吐出された空気は、送風ダクト本体７１２内部において、図示しない整流板により整流され、図９に示すように、流路Ｃ６ＲＧに沿って、前面側に流通するとともに流出部７１２Ｒ，７１２Ｇから上方側に向けて流出し、開口部３６１２Ｒ，３６１２Ｇを介して空間Ａｒ１に導入される。
すなわち、冷却ファン７１３から吐出され送風ダクト本体７１２を介して空間Ａｒ１に導入される空気により、空間Ａｒ１内の光学装置３５（光変調装置３５１、入射側偏光板３５２、射出側偏光板３５３等）が冷却される。
【００４５】
図１０は、熱交換器７１４の構成を背面側から見た分解斜視図である。
熱交換器７１４は、補助ダクト７１１に設置され、流路Ｃ５を辿る空気の熱を受熱し、補助ダクト７１１外部に放熱する。
この熱交換器７１４は、図１０に示すように、受熱側伝熱部材７１４１と、取付部材７１４２と、ブロック７１４３と、熱電変換素子としての２つのペルチェ素子７１４４と、放熱側伝熱部材７１４５とを備える。
【００４６】
受熱側伝熱部材７１４１は、矩形状の板体７１４１Ａと、板体７１４１Ａにおける前面側の端面から突出し上下方向に延出する複数のフィン部材７１４１Ｂとを有する、いわゆるヒートシンクで構成されている。そして、受熱側伝熱部材７１４１は、熱交換器７１４が補助ダクト７１１の断面Ｕ字状の開口部分に取り付けられた状態で、複数のフィン部材７１４１Ｂが補助ダクト７１１の内側に配設され、流路Ｃ５を辿る空気の熱を受熱する。
【００４７】
取付部材７１４２は、各部材７１４１，７１４３，７１４４，７１４５を一体化して、補助ダクト７１１に取り付けるための部材である。この取付部材７１４２は、熱伝導率が低い（例えば、０．９Ｗ／（ｍ・Ｋ）以下）材料で構成され、板体７１４１Ａよりも大きい外形形状を有する矩形板状に形成されている。そして、この取付部材７１４２は、熱交換器７１４が補助ダクト７１１に取り付けられた状態で、補助ダクト７１１における断面Ｕ字状の開口部分を閉塞する。
また、取付部材７１４２には、略中央部分にブロック７１４３を嵌合可能とする開口部７１４２Ａが形成されている。
さらに、取付部材７１４２には、開口部７１４２Ａ周縁部分から背面側に突出する枠形状を有し、枠状内側部分にて各ペルチェ素子７１４４の外縁部分を保持する保持部７１４２Ｂが形成されている。
【００４８】
ブロック７１４３は、金属等の熱伝導性材料から構成され、略直方体状の板状に形成されている。
このブロック７１４３において、背面側の端面には、略直方体形状の嵌合部７１４３Ａが一体的に設けられている。そして、ブロック７１４３は、熱交換器７１４を組み立てた状態で、嵌合部７１４３Ａが開口部７１４２Ａに嵌合するとともに、受熱側伝熱部材７１４１の板体７１４１Ａに熱伝達可能に接続する。
【００４９】
２つのペルチェ素子７１４４は、同様の構成を有し、具体的な図示は省略したが、ｐ型半導体とｎ型半導体とを金属片で接合して構成した接合対を複数有しており、これら複数の接合対は電気的に直接に接続されている。
このような構成を有するペルチェ素子７１４４において、制御基板５による制御の下、電力が供給されると、ペルチェ素子７１４４の前面側の端面が熱を吸収する吸熱面７１４４Ａとなり、背面側の端面が熱を放熱する放熱面７１４４Ｂとなる。
ここで、ブロック７１４３の嵌合部７１４３Ａの厚み寸法とペルチェ素子７１４４の厚み寸法とを加えた長さ寸法は、取付部材７１４２の前面側の端面から保持部７１４２Ｂの突出方向先端部分までの長さ寸法よりも若干大きくなるように設定されている。
そして、ペルチェ素子７１４４は、熱交換器７１４を組み立てた状態で、保持部７１４２Ｂに嵌合され、吸熱面７１４４Ａがブロック７１４３の嵌合部７１４３Ａに熱伝達可能に接続する。
【００５０】
放熱側伝熱部材７１４５は、受熱側伝熱部材７１４１と同様に、板体７１４５Ａおよび複数のフィン部材７１４５Ｂを有するヒートシンクで構成されている。ここで、複数のフィン部材７１４５Ｂは、受熱側伝熱部材７１４１における複数のフィン部材７１４１Ｂの延出方向と略直交する方向（左右方向）に延出するように形成されている。
そして、具体的な図示は省略したが、放熱側伝熱部材７１４５は、取付部材７１４２の背面側の端面にねじ等により固定される。この状態では、放熱側伝熱部材７１４５は、板体７１４５Ａがペルチェ素子７１４４の放熱面７１４４Ｂに熱伝達可能に接続する。すなわち、熱交換器７１４には、受熱側伝熱部材７１４１〜ブロック７１４３〜ペルチェ素子７１４４〜放熱側伝熱部材７１４５の熱伝達経路が形成される。
また、放熱側伝熱部材７１４５は、図８に示すように、熱交換器７１４を組み立ててプロジェクタ１に組み込んだ状態で、中継ダクト６２の第１配設用開口部６２１を介して中継ダクト６２内部に配設される。このため、流路Ｃ５を辿る空気の熱は、受熱側伝熱部材７１４１〜ブロック７１４３〜ペルチェ素子７１４４〜放熱側伝熱部材７１４５の熱伝達経路を辿った後、中継ダクト６２内部の流路Ｃ１を辿って流通する空気により冷却される。
【００５１】
〔熱輸送装置の構成〕
図１１は、熱輸送装置８の構成を説明するための図である。具体的に、図１１は、熱輸送装置８が光学装置本体３５Ａおよび熱交換器７１４に一体化された状態を前面側から見た斜視図である。
熱輸送装置８は、各光変調装置３５１に熱伝達可能に接続し、各光変調装置３５１の熱を熱交換器７１４に伝達する。この熱輸送装置８は、図１１に示すように、第１ヒートパイプ８１と、中継用受熱ブロック８２と、第２ヒートパイプ８３とを備える。
【００５２】
図１２は、中継用受熱ブロック８２の構成を説明するための図である。具体的に、図１２は、中継用受熱ブロック８２に第１ヒートパイプ８１が接続された状態を、前面下方側から見た斜視図である。
中継用受熱ブロック８２は、光学装置本体３５Ａの上方側に配設され、第１ヒートパイプ８１と第２ヒートパイプ８３とを熱伝達可能に接続する。
この中継用受熱ブロック８２は、金属等の熱伝導性材料から構成され、図１２に示すように、略直方体状の第１ブロック８２１および第２ブロック８２２が上下に積層されて構成されている。
【００５３】
第１ヒートパイプ８１は、Ｒ色光側の光変調装置３５１Ｒ用の２つの第１ヒートパイプ８１Ｒと、Ｇ色光側の光変調装置３５１Ｇ用の２つの第１ヒートパイプ８１Ｇと、Ｂ色光側の光変調装置３５１Ｂ用の２つの第１ヒートパイプ８１Ｂとで構成されている。
これら第１ヒートパイプ８１は、同一の機能を有するものであり、内部に毛細管構造（ウィック）を有する断面視円形状の管状に形成されるとともに、管内部には冷媒が収容され、冷媒が管内部を還流することにより、該第１ヒートパイプ８１内での熱移動が行われる。
ここで、具体的な図示は省略したが、第１ヒートパイプ８１の毛細管構造は、パウダー状の焼結型ウィックで構成されている。また、冷媒としては、水を採用している。なお、前記毛細管構造としては、焼結型ウィックに限らず、その他のウィック、例えば、複数の細い銅線等で構成された極細線型ウィック、網目状の金属メッシュ型ウィック、あるいは、管内部に複数の溝を形成したグルーブ型のウィックで構成しても構わない。また、冷媒としては、水に限らず、その他の冷媒、例えば、アルコール等を採用しても構わない。
【００５４】
これら第１ヒートパイプ８１は、プレス加工が施されることで、図１２に示すように、一端側の部位８１１と他端側の部位８１２とが略直交し、Ｌ字形状を有するように屈曲形成されている。
そして、２つの第１ヒートパイプ８１Ｒは、図１１に示すように、一端側の部位８１１の外面が支持部材３５５Ｒを構成する第１支持部３５５１の左右両側端部に熱伝達可能に接続する。また、各第１ヒートパイプ８１Ｒは、図１２に示すように、他端側の部位８１２が第２ブロック８２２における前面側および背面側の各側端部に熱伝達可能に接続する。
また、２つの第１ヒートパイプ８１Ｂは、図１１に示すように、一端側の部位８１１の外面が支持部材３５５Ｂを構成する第１支持部３５５１の左右両側端部に熱伝達可能に接続する。各第１ヒートパイプ８１Ｂの他端側の部位８１２は、図１２に示すように、上述した各第１ヒートパイプ８１Ｒと同様に第２ブロック８２２に接続する。
さらに、２つの第１ヒートパイプ８１Ｇは、具体的な図示は省略したが、各第１ヒートパイプ８１Ｒ，８１Ｂと同様に、一端側の部位８１１の外面が支持部材３５５Ｇを構成する第１支持部３５５１の左右両側端部に熱伝達可能に接続する。また、各第１ヒートパイプ８１Ｇは、図１２に示すように、他端側の部位８１２が第２ブロック８２２を挟んで第１ブロック８２１の下方側端面に熱伝達可能に接続する。
すなわち、各第１ヒートパイプ８１は、各支持部材３５５Ｒ，３５５Ｇ，３５５Ｂを介して各光変調装置３５１Ｒ，３５１Ｇ，３５１Ｂに熱伝達可能に接続する。
【００５５】
第２ヒートパイプ８３は、第１ヒートパイプ８１と同様の機能を有し、４つで構成されている。また、４つの第２ヒートパイプ８３は、プレス加工が施されることで、一端側の部位８３１と他端側の部位８３２とが略直交し、Ｌ字形状を有するように屈曲形成されている。
そして、４つの第２ヒートパイプ８３は、図１１に示すように、一端側の部位８３１の外面が第１ブロック８２１の上方側端面に熱伝達可能に接続する。また、各第２ヒートパイプ８３は、他端側の部位８３２が蓋体６２１１を貫通して補助ダクト７１１内部に引き回され（図７、図８）、受熱側伝熱部材７１４１における板体７１４１Ａの前面側の端面に熱伝達可能に接続する。
【００５６】
以上説明した熱輸送装置８により、各光変調装置３５１（液晶パネル３５１１）に生じた熱は、以下に示すように移動する。
すなわち、各光変調装置３５１に生じた熱は、液晶パネル３５１１〜パネル保持枠３５１２〜支持部材３５５〜第１ヒートパイプ８１〜中継用受熱ブロック８２〜第２ヒートパイプ８３〜受熱側伝熱部材７１４１の熱伝達経路を辿る。
そして、流路Ｃ５を辿る空気の熱とともに、受熱側伝熱部材７１４１〜ブロック７１４３〜ペルチェ素子７１４４〜放熱側伝熱部材７１４５の熱伝達経路を辿った後、中継ダクト６２内部の流路Ｃ１を辿って流通する空気により冷却される。
【００５７】
上述した第１実施形態においては、以下の効果がある。
本実施形態では、プロジェクタ１は、受熱側伝熱部材７１４１、放熱側伝熱部材７１４５、およびペルチェ素子７１４４を有する熱交換器７１４を備える。このことにより、補助ダクト７１１内部の流路Ｃ５を辿る空気の熱は、熱交換器７１４により補助ダクト７１１外部に放熱されることとなる。このため、補助ダクト７１１および送風ダクト本体７１２を介して光学装置３５（光変調装置３５１）に送風される空気の温度を低減させることができる。
また、プロジェクタ１は、ヒートパイプ８１，８３を有する熱輸送装置８を備える。このことにより、光変調装置３５１に生じた熱は、熱輸送装置８を介して熱交換器７１４に移動し、補助ダクト７１１内部の流路Ｃ５を辿る空気の熱とともに、補助ダクト７１１外部に放熱されることとなる。
したがって、冷却ファン７１３自体の熱により光学装置３５に送風される空気の温度が上昇した場合であっても、熱交換器７１４を用いた冷却構造に加えて、熱輸送装置８を用いた伝導冷却構造を採用することで、光変調装置３５１を効果的に冷却できる。このため、光変調装置３５１（液晶パネル３５１１）の熱劣化を回避し、プロジェクタ１の長寿命化が図れる。
【００５８】
また、吸気口２３を介して外装筐体２内部に導入された空気を所定位置に導く中継ダクト６２は、補助ダクト７１１に連通し、外装筐体２内部に導入された空気の一部を補助ダクト７１１に導く。このことにより、従来のような密閉構造内部において空気を循環させる構造と比較して、ダクトの数を削減できるとともに、ダクト間の接続構造も簡易なものとすることができ、構造を簡素化できる。
また、中継ダクト６２は、外装筐体２内部に導入された空気を内部に配設された放熱側伝熱部材７１４５にも導く。このことにより、中継ダクト６２内部の流路Ｃ１を辿る空気により放熱側伝熱部材７１４５が冷却されるため、ペルチェ素子７１４４の消費電力に対する冷却対象（受熱側伝熱部材７１４１）から吸熱する吸熱量の比率（吸熱比率）を向上させることができる。したがって、上述したように簡素な構造を採用しつつ、ペルチェ素子７１４４により受熱側伝熱部材７１４１を介して補助ダクト７１１内部の流路Ｃ５を辿る空気の温度をより一層低減させることができるとともに、ペルチェ素子７１４４により受熱側伝熱部材７１４１および熱輸送装置８を介して光変調装置３５１の温度をより一層低減させることができ、光変調装置３５１をより一層効果的に冷却できる。
【００５９】
さらに、熱輸送装置８は、中継用受熱ブロック８２を備える。このことにより、第１ヒートパイプ８１にて光変調装置３５１と中継用受熱ブロック８２とを熱伝達可能に接続し、第２ヒートパイプ８３にて中継用受熱ブロック８２と受熱側伝熱部材７１４１とを熱伝達可能に接続することで、光変調装置３５１から受熱側伝熱部材７１４１までの熱伝達経路を確保できる。このため、光変調装置３５１から受熱側伝熱部材７１４１までの各ヒートパイプ８１，８３の引き回しを容易に実施でき、熱輸送装置８をコンパクトに纏めることができる。
【００６０】
また、第１ヒートパイプ８１は、光変調装置３５１を支持する支持部材３５５に当接して熱伝達可能に接続する。すなわち、第１ヒートパイプ８１は、光変調装置３５１に直接、接続することなく、支持部材３５５を介して光変調装置３５１に熱伝達可能に接続する。このことにより、第１ヒートパイプ８１を取り付ける際に光変調装置３５１に力が加わることがなく、さらには、第１ヒートパイプ８１を取り付けた後での第１ヒートパイプ８１の熱応力が光変調装置３５１に加わることがなく、各光変調装置３５１の相互位置のずれを防止でき、画素ずれを回避できる。このため、プロジェクタ１は、鮮明な投影画像を表示させることができる。
【００６１】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図１３は、第２実施形態における熱輸送装置８の構成を説明するための図である。具体的に、図１３は、熱輸送装置８が光学装置本体３５Ａおよび熱交換器７１４に一体化された状態を前面側から見た斜視図である。
本実施形態では、図１３に示すように、前記第１実施形態に対して、熱輸送装置８を構成する各第１ヒートパイプ８１の一端側の部位８１１が各光変調装置３５１におけるパネル保持枠３５１２の左右両側端部に熱伝達可能に接続する点が異なるのみである。その他の構成は、前記第１実施形態と同様である。
すなわち、本実施形態では、熱輸送装置８により、各光変調装置３５１に生じた熱は、液晶パネル３５１１〜パネル保持枠３５１２〜第１ヒートパイプ８１〜中継用受熱ブロック８２〜第２ヒートパイプ８３〜受熱側伝熱部材７１４１の熱伝達経路を辿る。
【００６２】
上述した第２実施形態においては、前記第１実施形態と同様の効果の他、以下の効果がある。
本実施形態では、第１ヒートパイプ８１が直接、光変調装置３５１に接続する。このため、熱輸送装置８により光変調装置３５１に生じた熱を受熱側伝熱部材７１４１に効果的に移動させることができ、光変調装置３５１をより一層効果的に冷却できる。
【００６３】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図１４は、第３実施形態における熱輸送装置８の構成を説明するための図である。具体的に、図１４は、熱輸送装置８が光学装置本体３５Ａおよび熱交換器７１４に一体化された状態を背面側から見た斜視図である。
本実施形態では、熱輸送装置８は、図１４に示すように、前記第１実施形態に対して、各第１ヒートパイプ８１および中継用受熱ブロック８２が省略されるとともに、第２ヒートパイプ８３の本数および一端側の部位８３１の接続位置が異なるのみである。その他の構成は、前記第１実施形態と同様である。
【００６４】
第２ヒートパイプ８３は、図１４に示すように、３つで構成されている。
そして、３つの第２ヒートパイプ８３は、図１４に示すように、一端側の部位８３１の外面が各光変調装置３５１におけるパネル保持枠３５１２の左側端部または右側端部に熱伝達可能に接続する。なお、各第２ヒートパイプ８３の他端側の部位８３２は、前記第１実施形態と同様に、受熱側伝熱部材７１４１に熱伝達可能に接続する。
すなわち、本実施形態では、熱輸送装置８により、各光変調装置３５１に生じた熱は、液晶パネル３５１１〜パネル保持枠３５１２〜第２ヒートパイプ８３〜受熱側伝熱部材７１４１の熱伝達経路を辿る。
【００６５】
上述した第３実施形態においては、熱輸送装置８として第１ヒートパイプ８１や中継用受熱ブロック８２を省略した場合であっても、前記第１実施形態および前記第２実施形態と同様の効果を享受できる。
また、第１ヒートパイプ８１や中継用受熱ブロック８２を省略することで、熱輸送装置８の構成の簡素化が図れる。
【００６６】
なお、本発明は前述の実施形態に限定されるものではなく、本発明の目的を達成できる範囲での変形、改良等は本発明に含まれるものである。
前記各実施形態では、吸気口２３を介して外装筐体２内部に導入した空気の一部を光学装置３５に送風する構成としていたが、これに限らない。例えば、従来と同様に密閉構造内部で空気を循環させる構成とし、該構成に空冷装置７および熱輸送装置８を採用しても構わない。
【００６７】
前記各実施形態において、ヒートパイプ８１，８３の数は、前記各実施形態で説明した数に限らず、例えば、１つでも構わない。また、ヒートパイプ８１，８３は、３つの光変調装置３５１にそれぞれ熱伝達可能に接続されていたが、これに限らず、１つの光変調装置３５１のみ、あるいは、２つの光変調装置３５１にそれぞれ熱伝達可能に接続する構成としても構わない。
【００６８】
前記各実施形態では、ペルチェ素子７１４４は、２つ設けられていたが、その数は特に限定されず、例えば１つでも構わない。
前記各実施形態において、冷却対象である光学素子として、光変調装置３５１を採用していたが、これに限らず、光源装置３１、偏光変換素子３２３、入射側偏光板３５２、射出側偏光板３５３等の他の光学素子を冷却対象としても構わない。
【００６９】
前記各実施形態において、空冷装置７の構成は、前記各実施形態で説明した構成に限らない。
例えば、前記各実施形態では、冷却ファンとして、シロッコファン７１３１，７１３２を採用していたが、軸流ファンを採用しても構わない。
また、例えば、冷却ファンの配設位置を、補助ダクト７１１の流路前段側や、送風ダクト本体７１２の流路後段側に配設しても構わない。
さらに、例えば、熱交換器７１４を補助ダクト７１１ではなく、送風ダクト本体７１２に設けても構わない。
【００７０】
前記各実施形態において、光源装置３１は、前記各実施形態で説明した構成に限らず、レーザダイオード、ＬＥＤ(Light Emitting Diode)、有機ＥＬ(Electro Luminescence)素子、シリコン発光素子等の各種固体発光素子で構成しても構わない。
前記各実施形態では、プロジェクタ１は、液晶パネル３５１１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いても構わない。
前記各実施形態では、光変調装置として液晶パネルを用いていたが、マイクロミラーを用いたデバイス等、液晶以外の光変調装置を用いても構わない。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００７１】
本発明は、光学素子を効果的に冷却できるため、プレゼンテーションやホームシアタに用いられるプロジェクタに利用できる。
【図面の簡単な説明】
【００７２】
【図１】第１実施形態におけるプロジェクタの外観を示す斜視図。
【図２】前記実施形態におけるプロジェクタの内部構成を示す斜視図。
【図３】前記実施形態における光学ユニットの構成を示す図。
【図４】前記実施形態における光学ユニットの構成を示す図。
【図５】前記実施形態における光学ユニットの構成を示す図。
【図６】前記実施形態における光学装置本体の構成を示す分解斜視図。
【図７】前記実施形態における筐体内部冷却装置の構成を説明するための図。
【図８】前記実施形態における空冷装置の構成を説明するための図。
【図９】前記実施形態における空冷装置の構成を説明するための図。
【図１０】前記実施形態における熱交換器の構成を背面側から見た分解斜視図。
【図１１】前記実施形態における熱輸送装置の構成を説明するための図。
【図１２】前記実施形態における中継用受熱ブロックの構成を説明するための図。
【図１３】第２実施形態における熱輸送装置の構成を説明するための図。
【図１４】第３実施形態における熱輸送装置の構成を説明するための図。
【符号の説明】
【００７３】
１・・・プロジェクタ、２・・・外装筐体、６２・・・中継ダクト（吸気ダクト）、８１・・・第１ヒートパイプ、８２・・・中継用受熱ブロック、８３・・・第２ヒートパイプ、３５１・・・光変調装置（光学素子）、３５４・・・クロスダイクロイックプリズム（色合成光学装置）、３５５・・・支持部材、６１１・・・導入ダクト（吸気ダクト）、６１２・・・吸気ファン、７１１・・・補助ダクト（送風ダクト）、７１２・・・送風ダクト本体（送風ダクト）、７１３・・・冷却ファン、７１４１・・・受熱側伝熱部材、７１４４・・・ペルチェ素子（熱電変換素子）、７１４５・・・放熱側伝熱部材。
【図１】
2009251370.tif 000003
【図２】
2009251370.tif 000004
【図３】
2009251370.tif 000005
【図４】
2009251370.tif 000006
【図５】
2009251370.tif 000007
【図６】
2009251370.tif 000008
【図７】
2009251370.tif 000009
【図８】
2009251370.tif 000010
【図９】
2009251370.tif 000011
【図１０】
2009251370.tif 000012
【図１１】
2009251370.tif 000013
【図１２】
2009251370.tif 000014
【図１３】
2009251370.tif 000015
【図１４】
2009251370.tif 000016